(57)【特許請求の範囲】
【請求項１】
映像を映し出す映像表示器と、
電源と、
この電源からの電力供給により点灯して、映像表示器に映し出されている映像を光の照射によりスクリーンに表示する光源と、
電源が異常の場合に電源から電源異常信号を受け、光源の不点灯の場合に光源から光源異常信号を受ける制御部と、
制御部からの指令により、電源が異常であるか光源が異常であるかを表示する異常表示部と、
を備えることを特徴とする映像表示装置。
【請求項２】
異常表示部は、映像表示装置の本体に配置されている請求項１に記載の映像表示装置。
【請求項３】
異常表示と映像が、共にスクリーン表示される請求項１に記載の映像表示装置。
【請求項４】
異常表示部は、映像表示装置とは別体であって、制御部に指示を与えるためのリモートコントローラに配置されている請求項１に記載の映像表示装置。
【請求項５】
制御部では、電源において高圧が発生しているかどうかにより電源異常信号を受けて、光源に電流が流れたかどうかにより光源異常信号を受ける請求項１に記載の映像表示装置。
【請求項６】
光源は高輝度ランプであり、映像表示器は液晶表示装置である請求項１に記載の映像表示装置。
【請求項７】
電源が異常であるかあるいは光源が不点灯であることを、制御部からの指令により記憶しておくメモリを有する請求項１に記載の映像表示装置。
【発明の詳細な説明】
【０００１】
【発明の属する技術分野】
本発明は、光源を使用したテレビジョン受像機、モニター、ディスプレイ装置のような映像表示装置に関するものである。
【０００２】
【従来の技術】
光源を使用した映像表示装置には、例えば画面の背面から光を照射して映像を映し出せる、液晶表示装置（ＬＣＤ）を含む映像機器、投射レンズを含む光学ユニット、光源及びミラー等が配置されており、この種の映像表示装置は、液晶リアプロジェクションテレビジョン受像器等と呼ばれている。このような映像表示装置は、奥行を少なくしてスクリーン面積を広く確保することができることにより、ブラウン管（ＣＲＴ）を用いたテレビジョン受像器よりも大型化が可能である。
【０００３】
図８は、従来のこの種の映像表示装置の一例を示しており、投影用の光源１０００は、液晶表示装置１００１の背面側にあり、液晶表示装置１００１とスクリーン１００２の間にはレンズ系１００３が配置されている。
このような投影用の光源１０００は、この光源を点灯させる電源１００４により点灯することができる。この電源１００４とマイクロコントローラ１００５の間には、電流検出部１００６が配置されている。
この電流検出部１００６は、電源１００４が光源１０００を起動した場合に、光源１０００において電流が流れたかどうかを検出するものである。電流検出部１００６が光源１０００において電流が流れないということを検出した場合には、電流検出部１００６はマイクロコントローラ１００５に対して信号を送り、この信号に基づいてマイクロコントローラ１００５は発光ダイオード（ＬＥＤ）のような表示部１００７を点灯させることにより、光源１０００が不点灯であることを知らせることができる。
【０００４】
【発明が解決しようとする課題】
ところが、このように光源１０００が切れて不点灯である場合には表示部１００７で表示することができるが、電源１００４自体が故障している場合においてもやはり光源１０００は点灯しないので、このような場合は電流検出部１００６は検出することはできない。従って電源１００４が故障していた場合には電流検出部１００６はやはり光源１０００が起動しないと判断してしまい、結果としてマイクロコントローラ１００５は表示部１００７を点灯させてしまうことから、電源１００４が故障であるのか光源１０００が起動できないのであるのかが判断できない。このために、ユーザやサービスマンが取るべき処置としては、光源１０００の交換を行う必要があるのか、電源１００４を修理しなければならないのかが即座に判らない。
そこで本発明は上記課題を解消し、光源が異常であるかあるいは電源が異常であるかを即座に確実に知ることができる映像表示装置を提供することを目的としている。
【０００５】
【課題を解決するための手段】
上記目的は、本発明にあっては、映像を映し出す映像表示器と、電源と、この電源からの電力供給により点灯して、映像表示器に映し出されている映像を光の照射によりスクリーンに表示する光源と、電源が異常の場合に電源から電源異常信号を受け、光源の不点灯の場合に光源から光源異常信号を受ける制御部と、制御部からの指令により、電源が異常であるか光源が異常であるかを表示する異常表示部と、を備えることを特徴とする映像表示装置により、達成される。
【０００６】
本発明では、光源が電源からの電力供給により点灯する。この光源は点灯により映像表示器に映し出されている映像を光の照射によりスクリーンに表示することができる。制御部は、電源が異常の場合に電源からの電源異常信号を受け、光源の不点灯の場合に光源からの光源異常信号を受けることができる。制御部は指令を送ることで、異常表示部に対して電源が異常であるか光源が異常であるかを表示させることができる。
これにより、映像表示装置のユーザあるいはサービスを行う人が、電源が異常であるのかあるいは光源が異常であるのかを即座に判別することができる。
本発明において、電源が異常であるかあるいは光源が異常であるかを、メモリに記憶させることにより、ユーザまたはサービスをする人が以前映像表示装置においてどのような異常があったかを確実に知ることができる。
【０００７】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【０００８】
図１は、本発明の映像表示装置の好ましい実施の形態を示しており、図１に示すのは液晶リアプロジェクションテレビと呼ばれている背面投射型のリアプロジェクタである。
リアプロジェクタ１は、上部キャビネット２と下部キャビネット３を有している。
上部キャビネット２は、その前面側に長方形状のフレーム部４が形成されており、そのフレーム部４にはスクリーン５が取り付けられている。
この上部キャビネット２は、上面壁６、側面壁７，８及び背面壁９そして底面壁１０により内部が空洞でかつ周囲が閉鎖された箱型に作られている。この上部キャビネット２の中には、図２に示すミラー１１が配置されている。表示面としてのスクリーン５は、このミラー１１の前側に配置されている。ミラー１１はスクリーン５に対して所定の角度斜めに傾斜して配置されている。
【０００９】
図１の下部キャビネット３は、スクリーン５とミラー１１の他に、投射装置１２及びその他の機器を収容している。下部キャビネット３の前面側にはスピーカ１３，１３と操作部１５、異常表示部１６等が配置されている。操作部１５は複数の操作ボタン１５ａを有している。また異常表示部１６は複数の例えば発光ダイオード（ＬＥＤ）１６Ａ，１６Ｂ，１６Ｃ等を有している。
このリアプロジェクタ１に対しては付属のワイヤレス型のリモートコントローラ２０を備えている。
【００１０】
図３は図１の上部キャビネット２と下部キャビネット３の内部構造例を示している。
上部キャビネット２は、Ｒ（レッド）、Ｇ（グリーン）、そしてＢ（ブルー）に対応した液晶表示装置３０を有している。この液晶表示装置３０は、映像を映し出すための映像表示器であり、この液晶表示装置３０とスクリーン５の間にはプリズム３１とレンズ系３２が配置されている。このプリズム３１は、液晶表示装置３０のＲ（レッド）に対応した液晶パネル３０Ａ、Ｇ（グリーン）に対応した液晶パネル３０Ｂ、Ｂ（ブルー）に対応した液晶パネル３０Ｃにそれぞれ映し出されている画像を合成し、レンズ系３２がその合成された映像を拡大してスクリーン５側に投影する。この時には、後で説明する下部キャビネット３の光源としてのランプ３５からの光の照射により、スクリーン５に対して液晶表示装置３０の映像が拡大表示される。
【００１１】
次に、図３の下部キャビネット３内の回路構成例を説明する。
入力部４０は、リモートコントローラ２０からの例えば赤外線２０Ａを受けることにより、リモートコントローラ２０から下部キャビネット３の制御部５０に対して所定の指令を与えることができる。また、操作部１５における操作ボタン１５ａの操作により、制御部５０に対して所定の操作を指令することができる。
制御部５０は、不揮発性メモリ５１、管面表示回路５２、ランプ電源５３、ランプ３５（光源）及び異常表示部１６に対して電気的に接続されている。この異常表示部１６は、例えば図１に示すように複数個のＬＥＤ１６Ａ，１６Ｂ，１６Ｃにより構成することができる。
制御部５０は、入力部４０からのリモートコントローラ２０の信号または操作部１５からのキー入力信号を解析し、その結果によりリアプロジェクタ１のパワーオン、オフなどの制御を行うことができる。
【００１２】
映像信号入力回路６０は、放送を受信しあるいは外部からの映像信号を入力でき、この映像信号入力回路６０は映像ミックス回路（映像ＭＩＸ回路）に対して映像信号ＭＳを送ることができる。
管面表示回路５２は、制御部５０により制御されることにより、ユーザあるいは故障等を直すサービスをする人に対して知らせるべき異常情報や処置情報を映像ミックス回路６１に出力する。映像ミックス回路６１は、映像信号入力回路６０から送られてくる映像信号ＭＳと、管面表示回路５２から送られてくる管面表示信号ＳＳをミックス（混合）して、液晶表示装置３０の各液晶パネル３０Ａ，３０Ｂ，３０Ｃに出力する。液晶表示装置３０はこのように映像ミックス回路６１から送られてくる映像ミックス信号ＭＳＳの内容を表示する。
【００１３】
ランプ電源５３は、制御部５０からのランプ点灯信号ＯＳの有無により、ランプ３５を点灯するための高電圧を出力したりあるいは高電圧の出力を停止する。高電圧の出力が与えられるべき時に高電圧出力が出ているかをランプ電源５３が検出して、高電圧出力が出ていない場合には、制御部５０に対してランプ電源出力異常検出信号ＥＳを送る。
ランプ３５は、例えば高輝度ランプを用いており、高電圧が出力されると点灯し、高電圧出力が停止すると消灯する。ランプ３５は、ランプ３５に電流が流れているかを検出することで、点灯しているかどうかが分かり、ランプ３５が点灯していない場合には、制御部５０に対してランプ不点灯検出信号ＥＬを送る。
ランプ３５が発生する光は、液晶表示装置３０の背面から照射されて、液晶表示装置３０の各液晶パネル３０Ａ，３０Ｂ，３０Ｃを通過して、プリズム３１、レンズ系３２を通してスクリーン５の背面側から投影することができる。
【００１４】
図３の不揮発性メモリは、制御部５０からの指令によりランプ３５が不点灯の時、すなわち制御部５０がランプ３５からランプ不点灯検出信号ＥＬを受けた時のランプ不点灯の異常情報や、それに対する処置が成されたという処置情報が格納できる。制御部５０は、このような不揮発性メモリ５１に格納されている情報を不揮発性メモリ５１から読み出して、異常表示部１６に表示させることもできる。すなわち、異常表示部１６は、制御部５０の制御により、ランプ不点灯時にその原因となる異常情報やそれに対する処置情報をユーザに報知する。
また、制御部５９は、ランプ不点灯時の異常に対する処置がなされ、ランプが正常に点灯するようになった後、ユーザからの操作により、不揮発性メモリ５１に格納されている異常情報を管面表示回路５２を通じてスクリーン２５に表示することができる。
制御部５０は、例えばマイクロコンピュータからなり、次に示すような機能を有する制御プログラムを内蔵しており、この制御プログラムを実行することによって、リアプロジェクタ１の全体の制御を行うことができる。
【００１５】
制御部５０の機能としては次のようなものがある。
（１）リアプロジェクタ１の電源投入後に、ランプ３５からのランプ不点灯検出信号ＥＬを読み出して、ランプ不点灯が判明されたら、ランプ電源５３からのランプ電源出力異常検出信号ＥＳを読み出す。
（２）ランプ電源５３が異常であると検出された場合に、ランプ不点灯の原因はランプ電源５３の異常である判断して、ランプ電源５３の異常が検出されなかった場合には、ランプ不点灯の原因はランプ３５の異常であると判断することで、リアプロジェクタ１の電源を落とす。
（３）上述したような異常情報を、不揮発性メモリ５１に対して格納する。
（４）異常情報とそれに対応する処置は、異常表示部１６のＬＥＤ１６Ａ，１６Ｂ，１６Ｃ（図１参照）の点灯の組み合わせによってユーザあるいはサービスをする人に対して報知する。
（５）リアプロジェクタ１の電源投入時に、不揮発性メモリ５１から過去の異常情報を読み出す。
（６）リアプロジェクタ１の電源投入時に、不揮発性メモリ５１から読み出した過去の異常情報が“異常”であって、実際にはランプ３５が正常に点灯した場合には、“異常”に対しての処置が取られたことを、不揮発性メモリ５１に格納する。
（７）ユーザあるいはサービスをする人が、リモートコントローラ２０を操作したりあるいは操作部１５のキーを操作することにより、制御部５０が情報表示のコマンドを検出した場合に、制御部５０は管面表示回路５２を通じて異常情報と処置情報を映像ミックス回路６１、液晶表示装置３０を介してスクリーン５に対して表示させる。
【００１６】
次に、上述した映像表示装置としてのリアプロジェクタ１の動作について、図３と図４と図５を参照して説明する。
図４において、ステップＳ１では、ユーザがリモートコントローラ２０の電源キー２０Ｂを押したかあるいはユーザが操作部１５を押すことにより電源が投入されたかを検出する。電源が投入された場合には、ステップＳ２に移り制御部５０は、ランプ電源５３に対してランプ点灯信号ＯＳ、例えばＨｉｇｈ信号を出力する。これにより、ランプ電源５３はランプ３５に対して電力供給する。
ここで、ステップＳ３では、制御部５０は、不揮発性メモリ５１から過去の異常情報や処置情報を読み出す。ステップＳ４では、制御部５０がランプ３５からのランプ不点灯検出信号ＥＬを読み取り、ランプ不点灯を制御部５０が検出した場合にはステップＳ１１へ移り、逆にランプ不点灯検出信号ＥＬを検出しなかった場合にはステップＳ５に移る。
【００１７】
ステップＳ５では、制御部５０はステップＳ３において読み出した過去の異常情報が“異常”だった場合に、現時点ではランプ３５が点灯していると、ユーザあるいはサービスをする人がランプの不点灯に対する処置を行ったと判断して、その処置情報を不揮発性メモリ５１に格納する。この時点でリアプロジェクタ１は正常に電源投入が成されたことになり、図３の映像信号入力回路６０から送られる映像信号ＭＳと、管面表示回路５２から送られる管面表示信号ＳＳが、映像ミックス回路６１でミックスされて、液晶表示装置３０へ映像ミックス信号ＭＳＳとして送られる。
ランプ３５が発生する光が、液晶パネル３０Ａ，３０Ｂ，３０Ｃを通過することにより、映像ミックス信号ＭＳＳに対応する映像がスクリーン５に表示される。
【００１８】
図４のステップＳ６においては、制御部５０がランプ３５からのランプ不点灯検出信号ＥＬを読み取り、ランプ不点灯を検出した場合には、ステップＳ１１に移り、ランプ不点灯検出信号ＥＬを検出しなかった場合にはステップＳ７に移る。
ステップＳ７では、制御部５０は、入力部４０または操作部１５のキー入力からの入力信号により情報表示のコマンドを検出したら、ステップＳ８に移り、検出しなかった場合にはステップＳ９に進む。
【００１９】
ステップＳ８において、制御部５０は、過去の異常情報と処置情報を、管面表示回路５２に出力し、この過去の異常情報と処置情報は映像ミックス回路６１により液晶表示装置３０に送られてスクリーン５に表示される。
ステップＳ９では、制御部５０は入力部４０または操作部１５におけるキー入力からの入力信号により、パワーオフのコマンドを検出したら、ステップＳ１０へ進み、検出しなかった場合にはＳ６に戻る。
以後パワーオフの検出またはランプ不点灯検出信号ＥＬの検出が無い限り、ステップＳ６からステップＳ９の処理を繰り返すことになる。
【００２０】
ステップＳ１０では、制御部５０は、ランプ電源５３に対してランプ点灯信号ＯＳとして例えばＬｏｗを出力する。これにより、ランプ電源５３からのランプ３５に対する電源出力の供給を停止して、ランプ３５の発光が停止する。以後ステップＳ１に進み、電源投入が検出されるまでステップＳ１の処理を繰り返す。
ステップＳ１１において、制御部５０は以下に示すランプ不点灯を検出した場合の処理を行う。この処理は、図５に示すように、ステップＳ１２において、制御部はランプ電源５３からのランプ電源出力異常検出信号ＥＳを読み取り、ランプ電源５３からのランプ電源出力が正常に出ていない（ランプ電源出力検出信号ＥＳが有った）場合には、ランプ電源５３が異常であると判断して、ステップＳ１３に進む。ランプ電源５３からのランプ電源出力が正常に出ていた（ランプ電源出力検出信号ＥＳが無い）場合には、ランプ３５が異常であると判断してステップＳ１５に進む。
【００２１】
ステップＳ１３において、制御部５０はランプ電源５３に異常があったという情報を、不揮発性メモリ５１に格納する。ステップＳ１４において、制御部５０はランプ電源５３に異常があったという情報と、そのための処置、例えばランプ電源５３の修理のためにサービスマンを呼ぶ等の情報を、ＬＥＤ表示管等からなる異常表示部１６によってユーザに報知し、図４のステップＳ１０に進む。
ステップＳ１５において、制御部５０は、ランプ３５に異常があったという情報を不揮発性メモリ５１に格納する。ステップＳ１６において、制御部５０は、ランプ３５に異常があったという情報と、そのための処置、例えばランプ３５を交換する等の情報を図３の異常表示部１６によってユーザやサービスマン等に報知して、図４のステップＳ１０に進む。
【００２２】
このような、光源を使用するリアプロジェクタ１においては、次のようなメリットが生じる。
（１）ランプ３５の不点灯という事態が起こった場合に、その原因がランプ３５の異常にあるのか、ランプを駆動するためのランプ電源５３の異常にあるかが、ユーザあるいはサービスをする人が即座に分かり、それに対する処置が図３の異常表示部１６により報知できるので間違った処置を取ることがなくなる。
（２）過去に起こった異常とそれに対して処置を取ったことが、不揮発性メモリ５１に記憶されており、しかも適当な時にその内容が表示できるので、その装置の故障傾向を把握することも勿論可能である。
【００２３】
次に、図６を参照して本発明の別の実施の形態を説明する。
図６に示すリアプロジェクタ１が、図３に示すリアプロジェクタ１と異なるのは、下部キャビネット３内に配置されている入出力部１４０と、リモートコントローラ１２０である。このリモートコントローラ１２０と入出力部１４０は、赤外線ＩＲを用いて、双方に信号を送ることができる。すなわちリモートコントローラ１２０は赤外線受発光部１２１と表示部１２２を有している。この赤外線受発光部１２１と、リモコンの入出力部１４０は、赤外線ＩＲを用いて、信号の入出力を相互に行うことができる。
制御部５０からの指令に基づいて入出力部１４０からリモートコントローラ１２０の入出力部１２１を介して、リモートコントローラ１２０の表示部１２２において、異常表示部１６と同様な異常表示を行うことができる。つまりリモートコントローラ１２０の異常表示部１２２においてもあるいは下部キャビネット３における異常表示部１６においても、いずれでもランプ不点灯時のランプ異常あるいはランプ電源異常表示等の故障表示やそれに対する処置表示や、不揮発性メモリ５１からの出力内容の表示を行うことができる。
【００２４】
リモートコントローラ１２０の異常表示部１２２や下部キャビネット３の異常表示部１６の表示の仕方としては、複数のＬＥＤの点灯不点灯を組み合わせることで行うこともできるし、あるいは液晶表示装置を用いて、その内容を漢字やアルファベットのような文字を用いて実際に表示させることも勿論可能である。
また、このような異常表示部１２２は、目視によりユーザあるいはサービスをする人に対して知らせるようになっているが、これに加えてあるいはこれに代えて音声等により知らせたり単なる音により知らせるようなことも可能である。
【００２５】
次に、図７を参照して本発明のさらに別の実施の形態について説明する。
図７は本発明のリアプロジェクタのさらに別の実施の形態を示している。図７のリアプロジェクタ１００は、高輝度ランプのような投影用の光源１３５、電源１５３、制御部１５０、異常表示部１１６等を有している。これらの光源１３５、電源１５３、制御部１５０、異常表示部１１６及び異常検出部１７０は、下部キャビネット３に内蔵されているが、スクリーン５、レンズ系３２、プリズム３１そして液晶表示装置３０は、上部キャビネット２内に内蔵されている。
光源１３５は高輝度ランプを用いることができ、電源１５３は光源１３５に対して点灯用の電源出力を供給する。
電源１５３と制御部１５０の間には異常検出部１７０が配置されている。この異常検出部１７０は、高圧検出部１７１と電流検出部１７２を備えている。
高圧検出部１７１は、電源１５３が発生する高電圧を検出するものである。また電流検出部１７２は、投影用の光源１３５に対して電流が流れたかどうかを検出するものである。
【００２６】
図７において、電源が投入されると、点灯用の電源１５３は、投影用の光源１３５を駆動するために起動時に数十Ｋボルトの電圧を発生する。この時に発生する高電圧は、高圧検出部１７１が検出し、正常に動作したことをマイクロコントローラのような制御部１５０に対して情報を送る。この場合に送る情報としては、例えばＨｉｇｈ信号を送る。
また投影用の光源１３５に電流が流れると、電流検出部１７２が検出し、正常に動作したことを制御部１５０に対して情報、例えばＨｉｇｈ信号を送る。
【００２７】
次に、投影用の光源１３５のみが動作不良になっている場合の動作について説明する。投影用の光源１３５が動作不良になっていると、投影用の光源１３５に電流が流れないために、電流検出部１７２から制御部１５０に対しては、情報が伝達されない。つまり例えば電流検出部１７２から制御部１５０に対してはＬｏｗ信号が送られたままになる。
点灯用の電源１５３が正常に動作していると、高電圧は高圧検出部１７１により検出でき、高圧検出部１７１は制御部１５０に対してＨｉｇｈ信号を伝達する。
この２つの情報を基にして、制御部１５０は投影用の光源１３５のみが動作不良になったのと判断して、これにより制御部１５０は異常表示部１１６の例えばＬＥＤ１６６Ａを点滅させて投影用の光源１３５が動作不良になったことを、ユーザまたはサービスをする人に対して知らせることができる。
【００２８】
次に、点灯用の電源１５３が動作不良になった場合について説明する。
点灯用の電源１５３が動作不良になると、高電圧が発生しないので、高圧検出部１７１から制御部１５０に対しては情報が伝達されない。つまり高圧検出部１７１から制御部１５０に対してはＬｏｗ信号のままとなる。この時点で、制御部１５０は点灯用の電源１５３が動作不良になったと判断して、例えば異常表示部１１６のＬＥＤ１６６Ａを点灯させて電源１５３が動作不良になったことをユーザまたはサービスをする人に対して知らせることができる。
このように異常表示部１１６のＬＥＤ１６６Ａを点滅させることで投影用の光源１３５が動作不良であることを知らせ、ＬＥＤ１６６Ａが点灯することで電源１５３が動作不良であることを分けて知らせることができる。
このように、点灯電源の高圧検出と電流検出の組み合わせを行うことで、投影用の光源または点灯用の電源のいずれか一方が動作不良になった時に、どちらが動作不良になったのかを明確に特定できるとともに、故障箇所が分かるので、その後の故障箇所の処置を確実に行うことができる。
【００２９】
ところで本発明は上記実施の形態に限定されない。
上述した実施の形態では映像表示装置として高輝度ランプのような光源を有する液晶を用いた投射型のリアプロジェクタを例に挙げている。しかしこれに限らず他の形式の映像表示装置においても、光源と駆動用の電源の故障の判別を行うのに本発明が適用できる。
またランプの種類は高輝度ランプに限らず他の種類のランプであっても勿論構わない。また映像表示器は、液晶表示装置に代えて他の種類の表示装置を用いることも勿論可能である。映像表示装置としては、上部キャビネットと下部キャビネットに区分されなくても、一体型のものであっても勿論構わない。
またリモートコントローラ２０は、赤外線等のワイヤレス型のものに限らず有線型のものであっても勿論構わない。
【００３０】
【発明の効果】
以上説明したように、本発明によれば、光源が異常であるかあるいは電源が異常であるかを確実に知ることができる。
【図面の簡単な説明】
【図１】本発明の映像表示装置の一例である投射型のリアプロジェクタを示す斜視図。
【図２】図１のリアプロジェクタの内部構成例を示す図。
【図３】図１と図２のリアプロジェクタの回路構成を示す図。
【図４】図１〜図３におけるリアプロジェクタの動作の一例を示す図。
【図５】動作の一例を示す図。
【図６】本発明の映像表示装置のさらに別の実施の形態を示す図。
【図７】本発明の映像表示装置のさらに別の実施の形態を示す図。
【図８】従来の映像表示装置の例を示す図。
【符号の説明】
１・・・リアプロジェクタ（映像表示装置）、１６・・・異常表示部、３０・・・液晶表示装置（映像表示器）、３５・・・ランプ（光源）、５０・・・制御部、５３・・・ランプ電源（電源）、ＥＳ・・・ランプ電源出力異常検出信号（電源異常信号）、ＥＬ・・・ランプ不点灯検出信号（光源異常信号）
【図１】
0003671620.tif 000002
【図２】
0003671620.tif 000003
【図３】
0003671620.tif 000004
【図４】
0003671620.tif 000005
【図５】
0003671620.tif 000006
【図６】
0003671620.tif 000007
【図７】
0003671620.tif 000008
【図８】
0003671620.tif 000009